(57)【要約】      （修正有）【課題】メイン基板とサブ基板とを備える制御装置において、メイン基板のＣＰＵが破壊されることを抑制する制御装置の提供。【解決手段】第一ＣＰＵ１１が搭載され、第一電源端子１２と、第三電源端子１３と、第一ＧＮＤ端子１４と、第一通信端子１５とを有するメイン基板１０と、メイン基板１０に接続され、第二ＣＰＵ２１が搭載され、第一電源端子と接続される第二電源端子２２と、第三電源端子１３と接続される第四電源端子２３と、第一ＧＮＤ端子と接続される第二ＧＮＤ端子２４と、第一通信端子と接続される第二通信端子２５とを有するサブ基板２０と、を備えた制御装置１００である。第一ＣＰＵの電流定格又は電圧定格を越える電流又は電圧が、第一ＣＰＵに生じることを防止する電流制限部（ダイオード２７）が、メイン基板の第一ＣＰＵと第一通信端子とを連結する通信ライン又はサブ基板の第二ＣＰＵと第二通信端子とを連結する通信ラインに設けられる。【選択図】図１
2016126492.tif 000002
【特許請求の範囲】
【請求項１】
電源に接続され、第一ＣＰＵが搭載され、第一電源端子と、前記第一電源端子より電圧が低い第三電源端子と、第一ＧＮＤ端と、第一通信端子とを有するメイン基板と、
前記メイン基板に接続され、第二ＣＰＵが搭載され、前記第一電源端子と接続される第二電源端子と、前記第三電源端子と接続される前記第四電源端子と、前記第一ＧＮＤ端子と接続される第二ＧＮＤ端子と、前記第一通信端子と接続される第二通信端子とを有するサブ基板と、
を備えた制御装置であって、
前記第一ＣＰＵの電流定格又は電圧定格を越える電流又は電圧が、前記メイン基板の第一ＣＰＵと前記第一通信端子とを連結する通信ライン及び前記サブ基板の前記第二ＣＰＵと前記第二通信端子とを連結する通信ラインに生じることを防止する電流制限部が、前記メイン基板の第一ＣＰＵと前記第一通信端子とを連結する通信ライン、又は、前記サブ基板の前記第二ＣＰＵと前記第二通信端子とを連結する通信ラインに設けられていることを特徴とする制御装置。
【請求項２】
前記電流制限部は、
前記サブ基板の前記第二ＣＰＵと前記第二通信端子を連結する通信ラインに設けられていることを特徴とする請求項１記載の制御装置。
【請求項３】
前記電流制限部は、ダイオードであることを特徴とする請求項１又は２に記載の制御装置。
【請求項４】
前記電流制限部は、抵抗であることを特徴とする請求項１又は２に記載の制御装置。
【発明の詳細な説明】
【技術分野】
【０００１】
本発明の態様は、制御装置に関する。
【背景技術】
【０００２】
近年、人体の局部を洗浄する衛生洗浄装置において、特許文献１のように、多種の機能が搭載された衛生洗浄装置が提案されている。
【０００３】
特許文献１では、使用者のトイレルーム内の入室を検知して、電動で、便蓋を開閉する電動開閉制御が搭載された衛生洗浄装置が記載されている。特許文献１に記載の便蓋の電動開閉制御技術は、例えば、パブリック現場に設置される衛生洗浄装置では、搭載されてないこともある。そのため、近年の衛生洗浄装置では、多種の品番があり、品番毎で、衛生洗浄装置に搭載される機能が異なるため、制御装置も品番毎となっている。しかしながら、制御装置の製造、管理の点から、衛生洗浄装置の基本機能とメイン基板とを、衛生洗浄装置毎で共通化して、衛生洗浄装置毎で異なる機能については、付属機能と、サブ基板として、衛生洗浄装置毎に搭載する技術が提案されている（図２）。
【０００４】
図２に記載されている制御装置１００は、メイン基板１０とサブ基板２０とが、２４Ｖの電源端子１２、２２、ＧＮＤ端子１４、２４、５Ｖの電源端子１３、２３、二つの通信端子１６、２６、１５、２５、とで接続されている。メイン基板１０には、第一ＣＰＵ１１と、２つのコンデンサ１７と、が搭載されている。サブ基板２０には、２つのコンデンサ３０、通信端子２５、２６と連結する第二ＣＰＵ２１、第二ＣＰＵ２１に接続されるデジタルトランジスタ３１が搭載されている。図２に記載されている技術において、例えば、メイン基板は、品質検査を行うことで２つのコンデンサ１７が充電状態となる。コンデンサ１７が充電状態のメイン基板と、２つのコンデンサ３０が非充電状態であるサブ基板との各々の端子を接続する際、２４Ｖの電源端子が先に接続され、最後にＧＮＤ端子が接続されてしまうと、図２に示す矢印のように、２４Ｖの電源端子２２、デジタルトランジスタ３１、通信端子２５、１５を経由して、メイン基板１０の第一ＣＰＵ１１に電流が流れしまう。その結果、第一ＣＰＵ１１の電流定格や電圧定格を越えてしまい、第一ＣＰＵ１１が破壊されるという問題があった。
【先行技術文献】
【特許文献】
【０００５】
【特許文献１】特開２０１１−２５２２７８号公報
【発明の概要】
【発明が解決しようとする課題】
【０００６】
本発明は、かかる課題の認識に基づいてなされたものであり、メイン基板とサブ基板とを備える制御装置において、メイン基板のＣＰＵが破壊されることを抑制する制御装置を提供することを目的とする。
【課題を解決するための手段】
【０００７】
第１の発明は、電源に接続され、第一ＣＰＵが搭載され、第一電源端子と、前記第一電源端子より電圧が低い第三電源端子と、第一ＧＮＤ端と、第一通信端子とを有するメイン基板と、前記メイン基板に接続され、第二ＣＰＵが搭載され、前記第一電源端子と接続される第二電源端子と、前記第三電源端子と接続される前記第四電源端子と、前記第一ＧＮＤ端子と接続される第二ＧＮＤ端子と、前記第一通信端子と接続される第二通信端子とを有するサブ基板と、を備えた制御装置であって、前記第一ＣＰＵの電流定格又は電圧定格を越える電流又は電圧が、前記メイン基板の第一ＣＰＵと前記第一通信端子とを連結する通信ライン及び前記サブ基板の前記第二ＣＰＵと前記第二通信端子とを連結する通信ラインに生じることを防止する電流制限部が、前記メイン基板の第一ＣＰＵと前記第一通信端子とを連結する通信ライン、又は、前記サブ基板の前記第二ＣＰＵと前記第二通信端子とを連結する通信ラインに設けられていることを特徴とする制御装置である。
【０００８】
この制御装置によれば、電流制限部が設けられているので、メイン基板の第一ＧＮＤ端子と、サブ基板の第二ＧＮＤ端子とが、未接続であっても、メイン基板の第一ＣＰＵに第一ＣＰＵの電流定格又は電圧定格を越える電流又は電圧が生じることを抑制できるので、メイン基板の第一ＣＰＵが破壊されることを抑制することができる。
【０００９】
第２の発明は、第１の発明において、前記電流制限部は、前記サブ基板の前記第二ＣＰＵと前記第二通信端子を連結する通信ラインに設けられていることを特徴とする制御装置である。
【００１０】
この制御装置によれば、電流制限部がサブ基板に設けられており、メイン基板に電流制限部が設けられていないので、メイン基板を簡素化することができる。結果、電流制限部が必要のない別のサブ基板と、メイン基板とが接続される制御装置において、メイン基板に設けられる制御装置が無駄な構成となることがない。
【００１１】
第３の発明は、第１又は第２の発明において、前記電流制限部は、ダイオードであることを特徴とする制御装置である。
【００１２】
この制御装置によれば、電流制限部がダイオードであるので、メイン基板の第一ＣＰＵに第一ＣＰＵの電流定格又は電圧定格を越える電流又は電圧が生じることを防止することができるので、メイン基板の第一ＣＰＵが破壊されることを防止することができる。
【００１３】
第４の発明は、第１又は第２の発明において、前記電流制限部は、抵抗であることを特徴とする制御装置である。
【００１４】
この制御装置によれば、電流制限部が抵抗であるので、安価な構成でメイン基板の第一ＣＰＵが破壊されることを抑制することができる。
【発明の効果】
【００１５】
本発明の態様によれば、メイン基板とサブ基板とを備える制御装置において、メイン基板のＣＰＵが破壊されることを抑制する制御装置を提供される。
【図面の簡単な説明】
【００１６】
【図１】本発明の実施の形態に係る制御装置１００に係るメイン基板１０とサブ基板２０との接続を示す回路ブロック図である。
【図２】従来の制御装置１００に係るメイン基板１０とサブ基板２０との接続を示す回路ブロック図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、本発明の実施の形態に係る制御装置１００に係るメイン基板１０とサブ基板２０との接続を示す回路ブロック図である。
【００１８】
図１に表した制御装置１００は、電源１に接続されるメイン基板１０と、サブ基板２０とを備える。メイン基板１０は、第一ＣＰＵ１１と、２４Ｖの第一電源端子１２と、第一電源端子１２より電圧が低く、５Ｖの第三電源端子１３と、第一ＧＮＤ端子１４と、受信側である第一通信端子１５と、送信側である第三通信端子１６とを備える。またメイン基板は、２４Ｖ電源ラインとＧＮＤラインとの間を結ぶラインにコンデンサ１７と、５Ｖ電源ラインとＧＮＤラインとの間を結ぶラインにコンデンサ１７とを備える。
【００１９】
サブ基板２０は、第二ＣＰＵ２１と、２４Ｖの第二電源端子２２と、第一電源端子２２より電圧が低く、５Ｖの第四電源端子２３と、第二ＧＮＤ端子２４と、送信側である第二通信端子２５と、受信側である第四通信端子２６とを備える。サブ基板２０は、２４Ｖ電源ラインとＧＮＤラインとの間を結ぶラインにコンデンサ３０と、５Ｖ電源ラインとＧＮＤラインとの間を結ぶラインにコンデンサ３０とを備える。サブ基板２０は、２４Ｖ電源ラインとＧＮＤラインに接続される回路ブロック２８と、回路ブロック２８に接続されるモータ２９とを備える。また、サブ基板２０は、第二ＣＰＵ２１とＧＮＤラインと送信ラインとに接続されるデジタルトランジスタ３１を備える。更に、サブ基板２０は、デジタルトランジスタ３１と第二通信端子２５とを結ぶ通信ラインに、電流制御部であるダイオード２７を備える。
【００２０】
制御装置１００は、メイン基板１０とサブ基板２０とが接続され、電源１から供給される電力により、衛生洗浄装置における便蓋の電動開閉制御が行われる。具体的に説明すると、メイン基板１０の第一電源端子１２とサブ基板２０の第二電源端子２２とが接続され、メイン基板１０の第三電源端子１３とサブ基板２０の第四電源端子２３とが接続される。メイン基板１０の第一ＧＮＤ端子１４とサブ基板２０の第二ＧＮＤ端子２４とが接続される。また、メイン基板１０の第一通信端子１５とサブ基板２０の第二通信端子２５とが接続され、メイン基板１０の第三通信端子１６とサブ基板２０の第四通信端子２６とが接続される。
【００２１】
電源１から供給された電力は、２４電源ラインを介して、回路ブロック２８に供給され、回路ブロック２８が、モーター２９を駆動することで、衛生洗浄装置の便蓋の電動開閉が行われる。また、メイン基板１０の第一ＣＰＵ１１が、５Ｖ電源ラインを介して、便蓋の電動開閉制御における開閉角度や開閉速度といった指示情報を第三通信端子１６と第四通信ライン２６とを介して、サブ基板２０の第二ＣＰＵ２１に送信し、第二ＣＰＵ２１、回路ブロック２８、モーター２９を介して、細かな開閉駆動が行われる。また、サブ基板２０の第二ＣＰＵ２１により、例えば、便蓋の現在の開閉角度や開閉速度を読み取り、その読み取った情報が、第二通信ライン２５、第一通信ライン１５を介して、メイン基板１０の第一ＣＰＵ１１に送信される。サブ基板２０の第二ＣＰＵ２１から送信された情報を基に、第一ＣＰＵ１１は、電動開閉制御における開閉角度や開閉速度といった指示情報を第二ＣＰＵに送信することによって、便蓋の電動開閉制御が行われる。
【００２２】
本制御装置におけるサブ基板２０が備えるダイオード（電流制限部）２７について、以下にて、説明する。
【００２３】
制御装置１００の品質検査工程において、まず、メイン基板１０の品質検査が実行される。その際、メイン基板１０には、電圧が供給されるため、メイン基板１０の品質検査を実行した後は、メイン基板１０のコンデンサ１７は充電状態になっている。その後、制御装置１００を組み立てるために、メイン基板１０とサブ基板２０とが接続される。その際、サブ基板２０の２つのコンデンサ３０は非充電の状態になっている。メイン基板１０とサブ基板２０との各々の端子を接続する際、メイン基板１０の第一電源端子１２とサブ基板２０の第二電源端子２２との接続及びメイン基板１０の第三電源端子１６とサブ基板２０の第四電源端子２６との接続が先に行われ、最後にメイン基板１０の第一ＧＮＤ端子１４とサブ基板２０の第二ＧＮＤ端子２４との接続が行われると、図１にて説明したように、２４Ｖの第一電源端子１２、第二電源端子２２、デジタルトランジスタ３１、通信端子２５、１５を経由して、メイン基板１０のコンデンサ１７から、第一ＣＰＵ１１に電流が流れようとする。しかし、ダイオード（電流制限部）２７により、その電流は、生じることがない。その結果、ダイオード（電流制限部）２７が、メイン基板１０の第一ＣＰＵ１１が破壊されることを抑制する。
【００２４】
以上のことより、本実施形態の制御装置１００によれば、ダイオード（電流制限部）２７が設けられているので、メイン基板１０の第一ＧＮＤ端子１４と、サブ基板２０の第二ＧＮＤ端子２４とが、未接続であっても、メイン基板１０の第一ＣＰＵ１１に第一ＣＰＵ１１の電流定格又は電圧定格を越える電流又は電圧が生じることを抑制できるので、メイン基板１０の第一ＣＰＵ１１が破壊されることを防止することができる。
【００２５】
また、本実施形態の制御装置１００によれば、ダイオード（電流制限部）２７がサブ基板２０に設けられており、メイン基板１０には電流制限部が設けられていないので、メイン基板１０を簡素化することができる。結果、電流制限部が必要のない別のサブ基板と、メイン基板とが接続される制御装置において、メイン基板に設けられる制御装置が無駄な構成となることがない。
【００２６】
本実施形態の制御装置１００では、電流制限部をダイオード２７として説明を行ったが、電流制限部は、抵抗で構成してもよい。抵抗（電流制限部）を設けることで、メイン基板１０の第一ＧＮＤ端子１４と、サブ基板２０の第二ＧＮＤ端子２４とが、未接続であっても、メイン基板１０の第一ＣＰＵ１１に第一ＣＰＵ１１の電流定格又は電圧定格を越える電流又は電圧が生じることを抑制できるので、メイン基板１０の第一ＣＰＵ１１が破壊されることを抑制することができる。また、電流制限部が抵抗であるので、安価な構成でメイン基板１０の第一ＣＰＵ１１が破壊されることを抑制することができる。
【００２７】
なお、メイン基板１０のコンデンサ１７が非充電状態であり、サブ基板２０のコンデンサ３０が充電状態であっても、上記した効果を得ることができる。
【００２８】
なお、前述の実施の形態に関して、当業者が適宜設計変更を加えたものも、本発明の特徴を備えている限り、本発明の範囲に包含される。例えば、制御装置１００が備える各基板の回路構成などは、例示したものに限定されるわけではなく適宜変更することができる。
【符号の説明】
【００２９】
１ 電源、１０ メイン基板、２０ サブ基板、１００ 制御装置、１１ 第一ＣＰＵ、１２ 第一電源端子、１３ 第三電源端子、１４ 第一ＧＮＤ端子、１５ 第一通信端子、１６ 第三通信端子、１７ コンデンサ、２１ 第二ＣＰＵ、２２ 第二電源端子、２３ 第四電源端子、２４ 第二ＧＮＤ端子、２５ 第二通信端子、２６ 第四通信端子、２７ ダイオード（電流制限部）、２８ 回路ブロック、２９ モーター、３０ コンデンサ
【図１】
2016126492.tif 000003
【図２】
2016126492.tif 000004